(57)【要約】【課題】薬液注入パイプ２を汚染土壌層１を横断するように短い工期で簡便に埋設でき、且つ、薬液注入パイプに形成する注入孔への土砂の押し込みによる目詰まりも防止できるようにした薬液注入パイプの埋設工法を提供する。【解決手段】ケーシングパイプ３の先端に抜差し自在に取付けた掘削工具４により汚染土壌層１を横断するボーリング孔５を削孔した後、ケーシングパイプ３に薬液注入パイプ２をその先端が掘削工具４に達するように挿入する。そのため、薬液注入パイプ２の挿入時に該パイプ２がボーリング孔５の内面を擦ることがなく、注入孔への土砂の押し込みによる目詰まりが防止される。次に、掘削工具４を地中に残置したままケーシングパイプ３をボーリング孔５から引き抜く。【選択図】図２
2008237974.tif 000002
【特許請求の範囲】
【請求項１】
地中の汚染土壌層に浄化用薬液を注入するための薬液注入パイプを汚染土壌層を横断するように埋設する工法であって、
ケーシングパイプの先端に抜差し自在に取付けた掘削工具により汚染土壌層を横断するボーリング孔を削孔する工程と、
ボーリング孔の削孔後にケーシングパイプに薬液注入パイプを挿入する工程と、
薬液注入パイプの挿入後に、掘削工具を地中に残置したままケーシングパイプをボーリング孔から引き抜く工程とを備えることを特徴とする汚染土壌浄化用薬液注入パイプの埋設工法。
【請求項２】
前記薬液注入パイプの内部空間はパイプ軸線方向に間隔を存して配置した複数の隔壁部材により複数の部屋に区画され、各部屋に各別の給液ホースを介して薬液が供給されて、各部屋の外周のパイプ壁に形成した注入孔から汚染土壌層に薬液が注入されるようにし、
薬液注入パイプは、複数の部屋に対応して分割された複数の短尺パイプを各短尺パイプの端部に各隔壁部材を内嵌させた状態で数珠繋ぎに連結して構成されることを特徴とする請求項１記載の汚染土壌浄化用薬液注入パイプの埋設工法。
【請求項３】
前記各隔壁部材は弾性材料で形成され、各隔壁部材に、当該隔壁部材よりパイプ軸線方向先方に位置する全ての前記部屋に対応する全ての前記給液ホースを纏めて挿通する集合孔と、集合孔の周囲１箇所に位置し隔壁部材を周方向に分断する割部とが形成されていることを特徴とする請求項２記載の汚染土壌浄化用薬液注入パイプの埋設工法。
【請求項４】
前記ボーリング孔の内面と前記薬液注入パイプの外周面との間に生ずる空隙を前記複数の部屋に対応させてパイプ軸線方向の複数の領域に仕切る複数の仕切り部材が薬液注入パイプの外周面に取付けられていることを特徴とする請求項１〜３の何れか１項記載の汚染土壌浄化用薬液注入パイプの埋設工法。
【発明の詳細な説明】
【技術分野】
【０００１】
本発明は、地中の汚染土壌層に浄化用薬液を注入するための薬液注入パイプを汚染土壌層を横断するように埋設する工法に関する。
【背景技術】
【０００２】
従来、曲がりボーリング法で地中の汚染土壌層を横断するようにボーリング孔を削孔しつつ、掘削工具の先端に設けたノズルから浄化用薬液を噴射させて、汚染土壌を浄化する方法が知られている（例えば、特許文献１参照）。この方法は、汚染物質が有機塩素系化合物である場合に適用されるものであり、汚染された土壌を浄化する浄化用薬液は鉄粉を混入した水である。汚染土壌層中の有機塩素系化合物は鉄粉により還元分解されて無害化される。
【０００３】
また、微生物により重油等の汚染物質を分解する土壌浄化方法も知られている。この場合は、浄化用薬液として微生物を活性化させるための栄養塩を含む液を汚染土壌層に注入する。ここで、微生物を利用した浄化方法では、汚染土壌層に栄養塩を含む薬液を長期間注入し続けることが必要になる。従来は、地表から汚染土壌層に達する縦孔を削孔し、縦孔を介して汚染土壌層に薬液を注入している。然し、汚染土壌層の上の地表に施設が存在する場合はこの方法を採用できない。そのため、薬液注入パイプを地中に汚染土壌層を横断するように埋設し、このパイプ内に薬液を供給して、パイプの軸線方向各所に形成した注入孔から汚染土壌層に薬液を注入し続けることが望まれる。
【０００４】
ところで、汚染土壌層の汚染物質がベンゼン等の化学物質である場合の浄化方法として、従来、汚染土壌層より下方に空気パイプを埋設し、このパイプの軸線方向各所に形成した孔から噴出する空気を汚染土壌層の下方から上方に流し、汚染物質を汚染土壌層の上方に埋設した収集ユニットに空気により連行して回収させるようにしたものが知られている（例えば、特許文献２参照）。そして、このものでは、空気パイプの埋設に際し、先ず、可撓性ロッドの先端に取付けた掘削工具により曲がりボーリング法で汚染土壌層の一側方に位置する地表から汚染土壌層の下方を通って汚染土壌層の他側方に位置する地表に達するボーリング孔を削孔し、次に、他側方の地表に露出した可撓性ロッドの先端から掘削工具を取外してここに掘削工具より大径のリーマを取付け、このリーマに空気パイプを接続した後、可撓性ロッドを一側方の地表側に引き抜きながらリーマによりボーリング孔を拡径して、この孔に空気パイプを引き込み、汚染土壌層の下方に空気パイプを埋設している。
【０００５】
ここで、汚染土壌層の一側方に位置する地表から汚染土壌層を横断して汚染土壌層の他側方に位置する地表に達するボーリング孔を削孔すれば、同様の工法で上述した薬液注入パイプを汚染土壌層を横断するように埋設できる。然し、この工法では、掘削工具によるボーリング孔の削孔と、リーマによるボーリング孔の拡径との２段階の作業が必要になり、更に、ボーリング孔を汚染土壌層の一側方に位置する地表から汚染土壌層を横断し終わるところまで削孔するだけでなく、汚染土壌層を横断し終わったところから汚染土壌層の他側方に位置する地表にまでボーリング孔を延長して削孔することが必要になり、手間がかかる。また、ボーリング孔に薬液注入パイプを引き込む際に、薬液注入パイプがボーリング孔の内面（地山）を擦り、薬液注入パイプに形成した注入孔に地山の土砂が押し込まれて注入孔が目詰まりし、薬液の注入不良を生ずる可能性もある。
【特許文献１】特開２０００−１３５４８３号公報
【特許文献２】特開２００４−５００９９号公報
【発明の開示】
【発明が解決しようとする課題】
【０００６】
本発明は、以上の点に鑑み、薬液注入パイプを汚染土壌層を横断するように短い工期で簡便に埋設でき、且つ、薬液注入パイプに形成する注入孔の目詰まりも防止できるようにした汚染土壌浄化用薬液注入パイプの埋設工法を提供することをその課題としている。
【課題を解決するための手段】
【０００７】
上記課題を解決するために、本発明は、地中の汚染土壌層に浄化用薬液を注入するための薬液注入パイプを汚染土壌層を横断するように埋設する工法であって、ケーシングパイプの先端に抜差し自在に取付けた掘削工具により汚染土壌層を横断するボーリング孔を削孔する工程と、ボーリング孔の削孔後にケーシングパイプに薬液注入パイプを挿入する工程と、薬液注入パイプの挿入後に、掘削工具を地中に残置したままケーシングパイプをボーリング孔から引き抜く工程とを備えることを特徴とする。
【０００８】
本発明によれば、汚染土壌層の一側方に位置する地表から汚染土壌層を横断し終わるところまでボーリング孔を削孔した後、ケーシングパイプに薬液注入パイプを挿入し、最後にケーシングパイプをボーリング孔から引き抜くことにより、汚染土壌層を横断するように薬液注入パイプを埋設することができる。従って、汚染土壌層を横断し終わったところから汚染土壌層の他側方に位置する地表までボーリング孔を延長して削孔する必要がなく、且つ、削孔作業も１回で済み、工期の短縮化を図ることができる。また、薬液注入パイプはケーシングパイプに挿入されるため、薬液注入パイプがボーリング孔の内面（地山）を擦って、薬液注入パイプに形成した注入孔に地山の土砂が押し込められるようなことはなく、注入孔の目詰まりを防止できる。
【０００９】
尚、ケーシングパイプの先端に掘削工具が固定的に取付けられていると、ケーシングパイプをボーリング孔から引き抜く際に、ケーシングパイプと一緒に動く掘削工具に押されて、薬液注入パイプもボーリング孔から押し出されてしまう。一方、本発明によれば、掘削工具がケーシングパイプの先端に抜差し自在に取付けられているため、薬液注入パイプをその先端が掘削工具に達するようにケーシングパイプに挿入した後、ケーシングパイプを軸線方向尾方に引張れば、掘削工具とケーシングパイプとが分離する。従って、掘削工具を地中に残置したままケーシングパイプをボーリング孔から引き抜くことができる。その結果、薬液注入パイプはボーリング孔内に留まる。
【００１０】
ところで、薬液が汚染土壌層の一部に偏って注入されることを防止するため、薬液注入パイプの内部空間はパイプ軸線方向に間隔を存して配置した複数の隔壁部材により複数の部屋に区画され、各部屋に各別の給液ホースを介して薬液が供給されて、各部屋の外周のパイプ壁に形成した注入孔から汚染土壌層に薬液が注入されるようにすることが望ましい。この場合、薬液注入パイプが連続した１本のパイプで構成されていると、隔壁部材によってはパイプ端部からの隔壁部材の挿入距離がかなり長くなる。そして、隔壁部材をこのような長い距離挿入するには、隔壁部材が然程摩擦抵抗を受けずに薬液注入パイプに挿入されるようにする必要があり、隔壁部材と薬液注入パイプとの間の液密性を確保することが困難になる。
【００１１】
そのため、薬液注入パイプは、複数の部屋に対応して分割された複数の短尺パイプを各短尺パイプの端部に各隔壁部材を内嵌させた状態で数珠繋ぎに連結して構成されることが望ましい。これによれば、隔壁部材を挿入するのは短尺パイプの端部であって挿入距離が極短くなるため、短尺パイプに対する隔壁部材の挿入摩擦抵抗が大きくても問題がない。従って、短尺パイプの端部に隔壁部材をきつく内嵌でき、短尺パイプと隔壁部材との間の液密性を確保できる。
【００１２】
ここで、各隔壁部材には、当該隔壁部材よりパイプ軸線方向先方に位置する全ての部屋に対応する全ての給液パイプを挿通する必要がある。そして、隔壁部材に各給液パイプを挿通する個別の孔が形成されている場合、各給液パイプの端末を隔壁部材の各孔に挿通してから隔壁部材を対応する短尺パイプに嵌合させる位置まで給液パイプに対し長い距離摺動させる必要があり、組立作業が面倒になる。
【００１３】
かかる不具合を解消するため、各隔壁部材は弾性材料で形成され、各隔壁部材に、当該隔壁部材よりパイプ軸線方向先方に位置する全ての部屋に対応する全ての給液ホースを纏めて挿通する集合孔と、集合孔の周囲１箇所に位置し隔壁部材を周方向に分断する割部とが形成されていることが望ましい。これによれば、割部を開いた状態で集合孔にその径方向外方から給液パイプを収めて、隔壁部材に給液ホースを挿通することができる。そのため、短尺パイプの近傍で隔壁部材に給液ホースを挿通して、短尺パイプの端部に隔壁部材を内嵌することができる。従って、隔壁部材を給液パイプに対しその端末から長い距離摺動させる必要がなく、組立作業が容易になる。
【００１４】
ところで、ケーシングパイプをボーリング孔から引き抜いた状態では、ボーリング孔の内面と薬液注入パイプの外周面との間に空隙を生ずる。そして、薬液注入パイプの各部屋がその外側で空隙を介して連通したのでは、各部屋毎に薬液を個別に供給する意義が失われる。そのため、ボーリング孔の内面と薬液注入パイプの外周面との間に生ずる空隙を薬液注入パイプの複数の部屋に対応させてパイプ軸線方向の複数の領域に仕切る仕切り部材が薬液注入パイプの外周面に取付けられていることが望ましい。これによれば、薬液注入パイプの各部屋がその外側で空隙を介して連通せず、各部屋からの薬液が汚染土壌層の各箇所に確実に注入される。
【発明を実施するための最良の形態】
【００１５】
図１を参照して、１は地中の汚染土壌層を示している。この汚染土壌層１を微生物を利用して浄化するため、汚染土壌層１を横断するように薬液注入パイプ２を埋設し、微生物及び微生物活性化のための栄養塩を含む薬液を薬液注入パイプ２から汚染土壌層１に注入している。
【００１６】
図２を参照して、薬液注入パイプ２の埋設工法について説明する。先ず、図２（ａ）に示す如く、可撓性を有するケーシングパイプ３の先端に取付けた掘削工具４により、汚染土壌層１の一側方に位置する地上から汚染土壌層１を横断し終わるところまで曲がりボーリング法でボーリング孔５を削孔する。ここで、掘削工具４の先端は傾斜面に形成されている。掘削工具４をケーシングパイプ３を介して回転させると真直に掘進するが、掘削工具４を回転させないと、掘削工具４の先端の傾斜面に作用する径方向の反力成分で掘進方向が曲がる。そして、地表から斜め下方に所定の深さまで真直に掘進させた後に掘進方向を曲げて水平にし、汚染土壌層１を横断するようにボーリング孔５を削孔する。
【００１７】
ボーリング孔５の削孔後、図２（ｂ）に示す如く、ケーシングパイプ３に薬液注入パイプ２をその先端が掘削工具４に達するように挿入する。次に、ケーシングパイプ３をボーリング孔５から引き抜く。ここで、ケーシングパイプ２の先端に掘進工具４が固定的に取付けられていると、ケーシングパイプ２の引き抜きに際し、これと一緒に動く掘削工具４に押されて薬液注入パイプ２がボーリング孔５から押し出されてしまう。そこで、本実施形態では、掘削工具４をケーシングパイプ３の先端に抜差し自在に取付けている。そのため、ケーシングパイプ３を軸線方向尾方に引張ると、掘削工具４とケーシングパイプ３とが分離し、掘削工具４を地中に残置したままケーシングパイプ３をボーリング孔５から引き抜くことができる。その結果、薬液注入パイプ２は、図１に示す如くボーリング孔５内に留まり、汚染土壌層１を横断するように埋設されることになる。
【００１８】
尚、掘削工具４をケーシングパイプ３に抜差し自在に連結する操作部付きのジョイントを設けても良い。この場合、薬液注入パイプ２の先端が掘削工具４に到達したときに、ジョイントの操作部が薬液注入パイプ２に押され、ジョイントによる掘削工具４とケーシングパイプ３との連結が解除されるようにする。
【００１９】
次に、薬液注入パイプ２について説明する。薬液注入パイプ２の内部空間は、図３に示す如く、パイプ軸線方向に間隔を存して配置した複数の隔壁部材２１により複数の部屋２２に区画され、各部屋２２に各別の給液ホース２３を介して個別に薬液が供給される。そして、各部屋２２の外周のパイプ壁に形成した注入孔２４から汚染土壌層１に薬液が注入されるようになっている。注入孔２４は、これに土砂が侵入することを防止するため、パイプ外周面に巻回した不織布２５で覆われている。
【００２０】
尚、ケーシングパイプ３が無い状態でボーリング孔５に薬液注入パイプ２を挿入すると、薬液注入パイプ２がボーリング孔５の内面（地山）を擦る。そして、地山の土砂が不織布２５に押し込められて不織布２５の目詰まりを生じ、更には、不織布２５が剥がれて注入孔２４に土砂が押し込められ、注入孔２４が目詰まりすることもある。これにより、薬液の注入不良を生ずる。然し、本実施形態では、上記の如くケーシングパイプ３に薬液注入パイプ２を挿入するため、薬液注入パイプ２がボーリング孔５の内面を擦ることはなく、上記の不具合は生じない。
【００２１】
また、ケーシングパイプ３をボーリング孔５から引き抜いた状態では、ボーリング孔５の内面と薬液注入パイプ２の外周面との間に空隙を生ずる。そして、薬液注入パイプ２の各部屋２２がその外側で空隙を介して連通したのでは、各部屋２２毎に薬液を個別に供給する意義が失われる。そのため、本実施形態では、ボーリング孔５の内面と薬液注入パイプ２の外周面との間の空隙を薬液注入パイプ２の複数の部屋２２に対応させてパイプ軸線方向の複数の領域に仕切る複数の仕切り部材２６を薬液注入パイプ２の外周面に取付けている。仕切り部材２６は、ゴム等の弾性材料製の環状板を２枚貼り合わせて構成されおり、その外周部をボーリング孔５の内面に弾力的に圧接させることで各領域間のシール性を確保できるようにしている。尚、仕切り部材を膨張、収縮するバルーン型のものとし、ケーシングパイプ３の引き抜き後に仕切り部材をこれへの空気等の流体の供給で膨張させるようにしても良い。
【００２２】
ところで、薬液注入パイプ２が連続した１本のパイプで構成されていると、隔壁部材２１によってはパイプ端部からの隔壁部材２１の挿入距離がかなり長くなる。そして、隔壁部材２１をこのような長い距離挿入するには、隔壁部材２１が然程摩擦抵抗を受けずに薬液注入パイプ２に挿入されるようにする必要がある。その結果、隔壁部材２１を薬液注入パイプ２にきつく内嵌させることができず、隔壁部材２１と薬液注入パイプ２との間の液密性を確保することが困難になる。
【００２３】
そこで、本実施形態では、複数の部屋２２に対応して分割された塩化ビニール製の複数の短尺パイプ２ａを各短尺パイプ２ａの端部に各隔壁部材２１を内嵌させた状態で継手２７を介して数珠繋ぎに連結して薬液注入パイプ２を構成している。これによれば、隔壁部材２１を挿入するのは短尺パイプの端部であって挿入距離が極短くなるため、短尺パイプ２ａに対する隔壁部材２１の挿入摩擦抵抗が大きくても問題がない。従って、短尺パイプ２ａに隔壁部材２１をきつく内嵌でき、短尺パイプ２ａと隔壁部材２１との間の液密性を確保できる。
【００２４】
更に、複数の短尺パイプ２ａを数珠繋ぎに連結して薬液注入パイプ２を構成することにより、薬液注入パイプ２がある程度の柔軟性を持つようになる。そのため、ボーリング孔５が曲がり部を有する場合にも薬液注入パイプ２を容易に挿入できる。尚、先頭の短尺パイプ２ａの先端にはキャップ２ｂを装着する。また、図１で尾端側の２個の短尺パイプ２ａ´は、薬液注入用の短尺パイプ２ａを汚染土壌層１まで押し込むために設けられたものであり、その内部に薬液は供給されない。
【００２５】
また、本実施形態において、各隔壁部材２１はゴム等の弾性材料で形成されている。そして、各隔壁部材２１に、図４に示す如く、当該隔壁部材２１よりパイプ軸線方向先方に位置する全ての部屋２２に対応する全ての給液ホース２３を纏めて挿通する集合孔２１ａと、集合孔２１ａの周囲１箇所に位置し隔壁部材２１を周方向に分断する割部２１ｂとが形成されている。これによれば、割部２１ｂを開いた状態で集合孔２１ａにその径方向外方から給液パイプ２３を収めて、隔壁部材２１に給液ホース２３を挿通することができる。そのため、短尺パイプ２ａの近傍で隔壁部材２１に給液ホース２３を挿通して、短尺パイプ２ａの端部に隔壁部材２１を内嵌することができる。従って、隔壁部材２１を給液ホース２３に対しその端末から長い距離摺動させる必要がなく、組立作業が容易になる。
【００２６】
尚、集合孔２１ａ内の給液ホース２３間の隙間はコーキング剤２１ｃで閉塞する。また、先頭側の短尺パイプ２ａに内嵌する隔壁部材２１は、これに挿通する給液ホース２３の本数が少なく、且つ、給液ホース２３の先端からの距離が短いため、給液ホース２３を個別に挿通する孔を形成したものであっても良い。
【００２７】
薬液注入パイプ２の埋設後は、各給液ホース２３に各別の給液源から薬液を供給する。本実施形態において、各給液源は、図１に示す如く、地表に設置した各液槽６で構成されている。そして、各液槽６の底部に設けた弁６ａに各給液ホース２３を接続している。これにより、各液槽６内の薬液が重力で各給液ホース２３を介して薬液注入パイプ２の各部屋２２に供給される。
【００２８】
ところで、各給液ホース２３に給液源たる各ポンプで薬液を供給することも可能である。然し、これでは、電力を消費し、半年間といった長期に亘り薬液を注入し続ける場合、ランニングコストが嵩む。これに対し、本実施形態では電力を消費せず、ランニングコストの削減を図る上で有利である。
【００２９】
薬液の注入は、全ての液槽６内の薬液の液面を所定レベルに揃えた状態で開始する。ここで、汚染土壌層１は均質ではなく、薬液が入りやすいところと入りにくいところとが混在している。汚染土壌層１の薬液が入りやすい箇所に位置する部屋２２に接続された液槽６内の薬液の液面レベルの下降速度は速くなり、汚染土壌層１の薬液が入りにくい箇所に位置する部屋２２に接続された液槽６内の薬液の液面レベルの下降速度は遅くなる。従って、各液槽６内の薬液の液面レベルの下降速度に基づいて汚染土壌層１の各箇所の状況を把握することができる。
【００３０】
このようにして汚染土壌層１の各箇所の状況を把握した後、各液槽６内の薬液の液面レベルの調節により各部屋２２への薬液の供給圧を個別に管理する。これにより、汚染土壌層１の各箇所に薬液を適切に注入できる。即ち、薬液が入りにくい箇所に位置する部屋２２に接続される液槽６の液面レベルを比較的高くして、この部屋２２への薬液供給圧を高くすることにより、薬液が入りにくい箇所にも薬液を確実に注入することができる。
【００３１】
また、汚染土壌層１の汚染濃度が高い箇所には、そこだけ区分して高性能の薬液を注入することも可能である。このように汚染土壌層１の各箇所の状況に応じて薬液の供給圧や薬液の種類を個別に管理することにより、汚染土壌を効率良く浄化できる。
【００３２】
尚、各液槽６内の薬液の液面レベルの調節は手動で行っても、フロート弁等を用いて自動で行っても良い。
【図面の簡単な説明】
【００３３】
【図１】本発明の実施形態の工法で埋設した薬液注入パイプを用いる土壌浄化システムを示す説明図。
【図２】（ａ）実施形態の工法におけるボーリング孔の削孔完了状態を示す図、（ｂ）実施形態の工法における薬液注入パイプの挿入完了状態を示す図。
【図３】実施形態の薬液注入パイプの要部の縦断面図。
【図４】実施形態の隔壁部材の横断面図。
【符号の説明】
【００３４】
１…汚染土壌層、２…薬液注入パイプ、２ａ…短尺パイプ、２１…隔壁部材、２１ａ…集合孔、２１ｂ…割部、２２…部屋、２３…給液ホース、２４…注入孔、２６…仕切り部材、３…ケーシングパイプ、４…掘削工具、５…ボーリング孔。
【図１】
2008237974.tif 000003
【図２】
2008237974.tif 000004
【図３】
2008237974.tif 000005
【図４】
2008237974.tif 000006